Podtech/llm-jp-corpus-v4-ja_patent huggingface dataset:
(57)【要約】【課題】高所恐怖症の乗客が乗っても気分を害すことにない展望用エレベータを提供する。【解決手段】昇降路１のガラス窓２と対向する展望窓４を備えた乗かご３を有し、この乗かご３内の乗客が前記展望窓４およびガラス窓２を介して昇降路１の外部を展望できるようにした展望用エレベータにおいて、前記展望窓４に、通常時は透明で電圧を印加することにより不透明となる分散型ガラス板４Ａ〜４Ｄを複数段に分割して設け、前記乗かご３の高さ位置に応じて電圧を印加し、下方から順次不透明になるように構成した。【選択図】図１
2005178950.tif 000002
【特許請求の範囲】
【請求項１】
昇降路のガラス窓と対向する展望窓を備えた乗かごを有し、この乗かご内の乗客が前記展望窓およびガラス窓を介して昇降路の外部を展望できるようにした展望用エレベータにおいて、
前記展望窓に、通常時は透明で電圧を印加することにより不透明となる分散型ガラス板を複数段に分割して設け、前記乗かごの高さ位置に応じて電圧を印加し、下方から順次不透明になるように構成したことを特徴とする展望用エレベータ。
【発明の詳細な説明】
【技術分野】
【０００１】
本発明は、乗客が乗かごの展望窓および昇降路のガラス窓を介して外部を展望できる展望用エレベータに関する。
【背景技術】
【０００２】
一般に展望用エレベータにあっては、乗客が乗かごの展望窓および昇降路のガラス窓を介して外部を展望できるようになっている（例えば、特許文献１参照）。
【特許文献１】特開平５−７００６０号公報
【発明の開示】
【発明が解決しようとする課題】
【０００３】
しかしながら、乗客によっては高所恐怖症の乗客がおり、この展望用エレベータに乗ったがゆえに気分を害するという問題がある。
【０００４】
本発明の目的は、高所恐怖症の乗客が乗っても気分を害すことにない展望用エレベータを提供することにある。
【課題を解決するための手段】
【０００５】
上記目的を達成するために、本発明は、昇降路のガラス窓と対向する展望窓を備えた乗かごを有し、この乗かご内の乗客が前記展望窓およびガラス窓を介して昇降路の外部を展望できるようにした展望用エレベータにおいて、
前記展望窓に、通常時は透明で電圧を印加することにより不透明となる分散型ガラス板を複数段に分割して設け、前記乗かごの高さ位置に応じて電圧を印加し、下方から順次不透明になるように構成したことを特徴とする。
【０００６】
このように構成した本発明は、乗かごが高くなるに従い乗かごの下方が不透明となり、下方が見えなくなるため、高所恐怖症の乗客でも恐怖感を感じることなく安心して乗っていることができる。また、他の乗客も外部は見えるため違和感なく乗っていることができる。
【発明の効果】
【０００７】
本発明によれば、乗かごが高くなるに従い乗かごの下方が不透明となり、下方が見えなくなるため、高所恐怖症の乗客でも恐怖感を感じることなく安心して乗っていることができる。また、他の乗客も外部は見えるため違和感なく乗っていることができる。
【発明を実施するための最良の形態】
【０００８】
以下，本発明に係る展望用エレベータの実施形態を図に基づいて説明する。
【０００９】
図１は本発明の展望用エレベータの一実施形態を示す説明図、図２は展望用エレベータの全体構成を示す概略図である。
【００１０】
図において、１は昇降路で、この昇降路１にはガラス窓が設けられている。３は前記昇降路１を昇降する乗かごで、この乗かご３の前記ガラス窓２に対向する部分に展望窓４が設けられている。この展望窓４に、通常時は透明で、電圧を印加すると不透明となる分散型液晶ガラス板が複数段に分割して設けられている。この実施形態では４Ａ〜４Ｄの４分割構成となっている。
【００１１】
５は乗かご高さ検出装置で、この高さ検出装置５は電圧制御装置６と接続されており、この電圧制御装置６は前記分散型液晶ガラス板４Ａ〜４Ｄと電源線７を介して接続されている。
【００１２】
今、乗かご３が高くなると高さ検出装置５が高さを検出し、電圧制御装置６を介して最下段の分散型ガラス板４Ａに電圧が送られこの分散型ガラス板４Ａが不透明となる。高さが高くなるに従って、分散型ガラス板４Ｂ，４Ｃ，４Ｄと不透明になり、乗客は下方が見えないため恐怖感を抱くことはない。
【００１３】
なお、この実施形態では、展望窓４の前面に分散型ガラス板を設けたが、大人が立って水平となる約１５０ｃｍ以上には設けなくとも同様の目的を達成することができる。
【図面の簡単な説明】
【００１４】
【図１】本発明の展望用エレベータの一実施形態を示す説明図である。
【図２】展望用エレベータの全体構成を示す概略図である。
【符号の説明】
【００１５】
１    昇降路
２    ガラス窓
３    乗かご
４    分散型ガラス板
５    乗かご高さ検出装置
６    電圧制御装置
【図１】
2005178950.tif 000003
【図２】
2005178950.tif 000004
(57)【要約】【課題】  本発明では低コストでユーザーにとって分かりやすいエラー表示を実現する。【解決手段】  装置の上蓋を表示板とし、キャリッジ上のＬＥＤにより表示板への照射を行なってエラー等を表示させることで、低コストでの表示を実現できるとともに、装置の全面から目視できる視認性の優れた表示を達成できる。【選択図】  図１
2005178059.tif 000002
【特許請求の範囲】
【請求項１】
記録紙に記録を行う記録ヘッドを装着する保持手段と、該保持手段を前記記録ヘッドによる記録方向に移動させる移動手段とを有する画像形成装置であって、前記画像形成装置上蓋前面にエラー表示面を有し、前記保持手段にエラー表示板照射装置を有する画像形成装置。
【発明の詳細な説明】
【技術分野】
【０００１】
本発明は、キャリッジに記録ヘッドを着脱可能に装着し、前記キャリッジを移動させ記録ヘッドによって記録用紙に画像形成記録を行う記録装置の技術分野に属するものである。
【背景技術】
【０００２】
現在、プリンタのエラー表示の方法としては、LEDやLCDが用いられている。
【０００３】
例えば、用紙の紙詰まりを検知して、紙詰まりが検知されたときにその旨を示すＬＥＤを点灯させて印刷を停止させる構成が従来から知られている。（例えば特許文献１）
LEDを用いる場合、複数色の組合せや点滅回数で数種類のエラーを表現している。その為、ユーザーにとっては何のエラーが発生しているのか分かりにくいことが多い。一方、LCDを用いる場合は、ユーザーにとっては分かりやすいがコストが高いというデメリットがある。
【特許文献１】特開平０８−０８１１０９号公報
【発明の開示】
【発明が解決しようとする課題】
【０００４】
上記で述べた事以外にも、LEDがプリンタの上面にあるプリンタにおいては、プリンタの置く場所（高い棚の上、PCラックの上など）によってはエラー表示を視認しにくい場合もある。そこで、本発明では低コストでユーザーにとって分かりやすいエラー表示を実現する。
【課題を解決するための手段】
【０００５】
上記の課題を、記録紙に記録を行う記録ヘッドを装着する保持手段と、該保持手段を前記記録ヘッドによる記録方向に移動させる移動手段とを有する画像形成装置であって、前記画像形成装置上蓋前面にエラー表示板を有し、前記保持手段にエラー表示板照射装置を有する画像形成装置、という構成で解決する。
【発明の効果】
【０００６】
本発明では、必要コストはLEDとエラー表示板のみであるので低コストで実現でき、文字や絵で表現できることからユーザーにとって分かり易いエラー表示を行うことができる。また、プリンタ前面からエラーを視認することができるので、設置場所を問わずエラー内容の確認ができる。
【発明を実施するための最良の形態】
【０００７】
以下、添付図面を参照して本発明の好適な実施の形態を説明する。図1は本発明を実施したインクジェットプリンタの一例で、上蓋を開けた状態の上面図である。また、図2は本実施例のプリンタの上蓋を示した図である。透明の板にエラー内容を記載したエラー表示板009を、プリンタ上蓋001の前面に設置してある。上蓋はエラー表示時以外にはエラー内容が見えないように半透明の濃い色であることが望ましい。
【０００８】
エラー表示板照射用LED008は、エラー表示板の真横に位置するようにキャリッジ前面に搭載する。（図3）
プリンタ動作中にエラーを検出したら、キャリッジを移動させて検出したエラーに応じた設定位置で停止させる。該当したエラー内容が記載されているエラー表示板の真横に移動し、キャリッジ前面に搭載したLED008を点灯もしくは点滅させることでエラー内容を照射し、ユーザーにエラー内容を知らせる（図4）。
【０００９】
エラー表示板009に記載する内容は、エラー内容の他にエラーに対する対応方法を記載しても良い。また、表示するものは文字でなくても絵でも良い。
【００１０】
照射用のLED009を2色にし、エラーの重大さや、ユーザーが対応できる項目かサービスマンの対応が必要なものかどうかによって等、色を使い分けることでより分かりやすくなる。
【００１１】
前記実施例では透明の表示板を上蓋前面の裏に取り付けたが、上蓋前面に直接エラー内容等を刻印しても良い。
【図面の簡単な説明】
【００１２】
【図１】本発明を実施したインクジェットプリンタの一例で、上蓋を開けた状態の上面図である。
【図２】本実施例のプリンタの上蓋を示した図である。
【図３】エラー表示板照射用LED008は、エラー表示板の真横に位置するようにキャリッジ前面に搭載する図である。
【図４】ユーザーにエラー内容を知らせる図である。
【図１】
2005178059.tif 000003
【図２】
2005178059.tif 000004
【図３】
2005178059.tif 000005
【図４】
2005178059.tif 000006
(57)【要約】【課題】  従来の後方鏡は、後方視界を確保する名目で車体から突出している為、人や自転車、バイクなどの障害物と接触事故を起こし易い構造になっており、走行時には気流の乱れによる風切音や燃費の悪化、高速時での車体の不安定さがある。【解決手段】  後方鏡自体を車体の内部に組み込み車体と一体化させることにより、後方鏡の突出による問題点自体をなくし、騒音の軽減や燃費の向上、高速走行時の車体の安定感を増すことで問題自体を解消する。【選択図】図１
2005178602.tif 000002
【特許請求の範囲】
【請求項１】
後方鏡を車体の内装部に取り付けたことを特徴とする自動車用後方鏡。
【請求項２】
前記後方鏡が前記内装部に左右対称に一対設けられていることを特徴とする請求項１に記載の自動車用後方鏡
【発明の詳細な説明】
【技術分野】
【０００１】
この発明は、自動車に用いる後方鏡の取り付け場所に関する。
【背景技術】
【０００２】
従来の自動車に用いられている後方鏡の取り付け場所は、図４の自動車外郭１から外に向かって後方鏡２a、後方鏡２b、が突出している形状である。
【特許文献１】特開平１０−２９１４４０
【発明の開示】
【発明が解決しようとする課題】
【０００３】
しかしながら、以上の技術によれば、人やバイクそれ以外の障害物に接触し易くなったり、気流の乱れによる燃費の悪化や高速走行時の車体安定性に問題がある。
そこで、この発明は、後方鏡自体を無くすことで障害物に接触しない
燃費の良い高速走行の安定した自動車を提供することを課題とする。
【課題を解決するための手段】
【０００４】
以上の課題を解決するために、第一発明は、後方鏡を車体の内装部に取り付けことを特徴とする自動車である。
また、第２発明は、後方鏡を車体の内装部に左右対称に一対設けられていることを特徴とする自動車である。
【発明の効果】
【０００５】
この発明によれば、後方鏡を車体の内装部に取り付けたことにより障害物に
接触すること自体が無くなり、燃費の向上や車体の高速走行時の車体安定化に繋がる。
【発明を実施するための最良の形態】
【０００６】
この発明の一実施形態を、図１、図２、図３に示す。
本発明は、図１の自動車外郭３の側面に於ける、ドア４a、ドア４b両ドアが、ドアと車体の接合部にあってその一部の形状を変形させ、その一部車体形状を変形させた側面部に透明または車外が認識出来うるガラス窓５a、ガラス窓５b、を設置する。
更に、フロントガラス７内装部側、またはダッシュボード８上面にあたる箇所に、左右対称の後方鏡９a、後方鏡９b、を車体外郭部に近い位置にこれを取り付ける。ただし前記内装部とは、人が乗れる空間を示す部分であって、自動車の内部を意味するものである。
【実施形態の効果】
【０００７】
この実施形態によれば、車内に設置するので防水処理をする必要も無くなる、
ゆえに構造も簡単になる。
風切音の騒音が無くなる。運転席側、助手席側のドアを開けても後方視界が
確保されている。
【図面の簡単な説明】
【０００８】
【図１】この発明の一実施形態を示す上視断面図である。
【図２】この発明の一実施形態を示す運転席側側視図である。
【図３】この発明の一実施形態を示す内視図である。
【図４】従来技術を示す上視断面図である。
【符号の説明】
【０００９】
１  従来の自動車外郭
２a  運転席側後方鏡
２b  助手席側後方鏡
３  変更後の自動車外郭
４a  運転席側ドア
４b  助手席側ドア
５a  運転席側後方確認用窓
５b  助手席側後方確認用窓
６  ハンドル
７  フロントガラス  
８  ダッシュボード
９a  運転席側車内後方鏡
９b  助手席側車内後方鏡
１０  エアバック
１１  収納ボックス
１２a  運転席側後部ガラス
１２b  助手席側後部ガラス
１３  取っ手
１４  換気口
１５  メーターパネル
【図１】
2005178602.tif 000003
【図２】
2005178602.tif 000004
【図３】
2005178602.tif 000005
【図４】
2005178602.tif 000006
(57)【要約】【課題】  交通事故で車両が水没したとき、ドアは水圧で開かない。ウィンドーは電気系統のショートにより、やはり開かない。車内から脱出が不可能になり、水死する痛ましい犠牲者が絶えない。【解決手段】  本システムは、こうした万が一の際、自動的にウィンドーグラスが降り、運転手や他のパッセンジャーが窓からの脱出が可能にした。【選択図】    なし【特許請求の範囲】
【請求項１】
車両が水没したとき、自動的にウィンドーグラスが降り、運転手や他のパッセンジャーが窓からの脱出が可能とするシステム。
【請求項２】
サブバッテリーをドアに内蔵することで、メインバッテリーのショートを補完する。
【請求項３】
サブッバッテリーは、エンジンの稼働中はリチャージするのであがる恐れはない。また、この稼動は、水没時に限られる。
【発明の詳細な説明】
【背景技術】
【０００１】
交通事故で車両が水没したとき、ドアは水圧で開かない。ウィンドーは電気系統のショートにより、やはり開かない。車内から脱出が不可能になり、水死する痛ましい犠牲者が絶えない。
【０００２】
本システムは、こうした万が一の際、自動的にウィンドーグラスが降り、運転手や他のパッセンジャーが窓からの脱出が可能になる。
【発明の開示】
【発明が解決しようとする課題】
【０００３】
（１）同様のシステムを、センサー等、電気を必要とする最先端の機器を用いると、水中に没するという想定のシステムとしては、不適当。
【０００４】
（２）従来、水圧により悲劇が起きた。本システムは、水圧を逆に利用することで、脱出の機会を創出する。メインバッテリーがショートしても、（３）サブバッテリーの力により自動的にドアのガラスが下がる（開放する）。
【０００５】
（４）サブバッテリーは、メインバッテリーと連結していることから、エンジンがかかっている限り普段から充電を繰り返し、万が一のときに単独で作用する。また、助手席側や後方ドアの開放は、コネクション次第。
【０００６】
（５）水圧感知装置の設置位置は、車体・車種により任意の高さが可能。図面が指摘する地上５０センチは、水深５０センチで本システムが作動するという意味でもある。例：スポーツカーは低く、４ＷＤの場合は高い位置に設置。
【図面の簡単な説明】
【０００７】
【図１】本発明装置の説明図である。
【図１】
2005178601.tif 000002
(57)【要約】      （修正有）【課題】ワンタッチで短時間に物を結束したり、連結したりすることのできる紐の提供。【解決手段】紐１の巾の両端から中央に交互に切り溝２を紐１の中心部まで付け、この切り溝２を紐１の長手方向に所定の間隔で設ける。紐１を結束させる場合は、紐１を縛る品物に必要な長さより長めに切り、紐１を品物の周りを一周させた後、紐１の両端を一方の側面の切り溝２に、他方の側面の切り溝２を差し込んで噛み合わせれば結束し、紐１どうしの噛み合わせを外す方向に引けば解け、再使用できる差込み紐である。【選択図】図１
2005178885.tif 000002
【特許請求の範囲】
【請求項１】
紐の巾の両端より中央に向けて切り溝を交互に連続するよう紐の長手方向に向かって所定の間隔で設け、被結束物に紐を一周して交差させ、互いに隣接した切り溝を噛み合せて結束可能としたことを特徴とする紐。
【請求項２】
切り溝の先端を丸くし、紐を一周させる前の切り溝に一周した紐の切り溝を差込むと切り溝の先端の丸みどうしが噛み合い、切り溝の先端に切り溝の巾より大きめに丸みを設け噛み合いを強くしたことを特徴とする請求項１に紐。
【請求項３】
紐どうしの切り溝が互いに差込み易いように、開口部をレ型としたことを特徴とする請求項１、又は請求項２に記載の紐。
【請求項４】
紐を結束したとき張力によって、切り溝が裂けないよう、切り溝の縁に厚みを設けて、切り溝の周りを補強したことを特徴とする請求項１から請求項３の何れかに記載の紐。
【請求項５】
強度を出すために、一方の切り溝の縁から他方の切り溝の縁へ厚みのある筋を連結して千鳥足状に設けた請求項１から請求項４の何れかに記載の紐。
【発明の詳細な説明】
【技術分野】
【０００１】
本発明は、物を結束したり連結したりするための紐である。
【背景技術】
【０００２】
紐を使って物を結束したり連結したりするには、紐どうしを何度か絡めて結んだり、針金をねじって結んだり、数珠状に連続した玉を数珠の端に付いた溝にはめ込んだりして結んでいる。
【発明の開示】
【発明が解決しようとする課題】
【０００３】
この改善策として、ワンタッチで短時間に物を結束したり、連結したりすることのでき紐の提供を目的とする。
【課題を解決するための手段】
【０００４】
紐１の巾の両端より中央に向けて切り溝２を交互に連続するよう紐１の長手方向に向かって所定の間隔で設け、被結束物に紐を一周して交差させ、互いに隣接した切り溝を噛み合せて結束可能としたことを特徴とする紐。
切り溝２の先端を丸くし、紐１を一周させる前の切り溝２に一周した紐１の切り溝２を差込むと切り溝２の先端の丸み５どうしが噛み合い、切り溝２の先端に切り溝２の巾より大きめに丸み５を設け噛み合いを強くした。
紐１どうしの切り溝２が互いに差込み易いように、開口部をレ型としたことを特徴とする。
紐１を結束したとき張力によって、切り溝２が裂けないよう、切り溝２の縁に厚み４を設けて、切り溝２の周りを補強したことを特徴とする。
強度を出すために、一方の切り溝の縁から他方の切り溝の縁へ厚みのある筋を連結して千鳥足状に設けた。
【発明の効果】
【０００５】
紐の巾の両端より中央に向けて切り溝を交互に連続するよう紐の長手方向に向かって所定の間隔で設け、被結束物に紐を一周して交差させ、互いに隣接した切り溝を噛み合せて結束可能としたのでワンタッチで物を結束したり連結したりすることができる。
【発明を実施するための最良の形態】
【０００６】
紐１で物を束ねたり、物どうしを連結するために、紐１を結ぶのであるが、この形状は、硬質合成樹脂にて紐１の巾の両端より中央に向けて切り溝２を交互に連続するよう紐１の長手方向に向かって所定の間隔で設け、被結束物に紐１を一周して紐１の長手方向の両端を交差（上下位置ですれ違い）する一方の紐端部との締めあげ状態で、最も隣接する切り溝どうしを噛み合せるだけでワンタッチで結束できる。
さらに、一周する前の紐１の端を他方の紐１に巻き付けるようにからませ下に差込むと紐１の長手方向の切り口が紐１の下に重なり表面より隠れ美観が良く、切り溝２を巻き付けるようにからませる作業を数回繰り返すと結束が強固になり確実に結束できる。紐１は硬質で柔軟性があれば、金属でもよい。
【実施例１】
【０００７】
紐１の巾の両端より中央に向けて切り溝２を交互に連続するよう紐１の長手方向に向かって所定の間隔で設け、被結束物に紐を一周して交差させ、互いに隣接した切り溝を噛み合せて結束させる。切り溝２は、直線的な切り込みでもよく、巾をもった形状でもよい。（図１参照）
【実施例２】
【０００８】
切り溝２の先端を丸くし、紐１を一周させる前の切り溝２に一周した紐１の切り溝２を差込むと切り溝２の先端の丸み５どうしが噛み合い、切り溝２の先端に切り溝２の巾より大きめに丸み５を設け噛み合いを強くしたことを特徴とした。（図２参照）
【実施例３】
【０００９】
紐１どうしの切り溝２が互いに差込み易いように、開口部をレ型としたがＶ型にしてもよい。（図３参照）
【実施例４】
【００１０】
紐１を結束したとき張力によって、切り溝２が裂けないよう、切り溝２の縁に厚み４を設けて、切り溝２の周りを補強した。（図４参照）
【実施例５】
【００１１】
強度を出すために、紐１の巾の両端に交互にある切り溝２の縁を厚み４のある筋６で千鳥足状に連続して設けた。（図５参照）
【図面の簡単な説明】
【００１２】
【図１】紐に切り溝を設け切り込み口をレ型にした平面図とＡ−Ａ’の断面図である。
【図２】紐の切り込み口をレ型開口にし、切り溝の先端に丸みを設けた平面図と側面図とＢ−Ｂ’の断面図である。
【図３】紐に切り溝の先端を張力方向に寄せて丸みを設け、切り溝の縁と丸みに厚みを付けた平面図とＣ−Ｃ’の断面図である。
【図４】紐に切り溝の先端を張力方向に寄せて丸みを設け、切り溝の縁と丸みに厚みを付け丸みどうしを厚みのある筋で連結した平面図とＣ−Ｃ’の断面図である。
【図５】一周する前の紐の端を他方の紐に巻き付けるようにからませ下に差込み結束した平面図である。
【図６】紐を一周させる前のＨ切り溝に、一周した帯紐のＨ切り溝を差込んだ側面図とＥの拡大図である。
【符号の説明】
【００１３】
１      紐  
２      切り溝  
３      レ型溝
４      厚み
５      丸み
６      筋
【図１】
2005178885.tif 000003
【図２】
2005178885.tif 000004
【図３】
2005178885.tif 000005
【図４】
2005178885.tif 000006
【図５】
2005178885.tif 000007
【図６】
2005178885.tif 000008
(57)【要約】  【課題】  ディスプレイカートンに納めた物品の中仕切が転倒したり傾倒することなく、常に整然として位置するものを提供することにある。  【解決手段】  背面板の両端に左右側面板を形成し、左右側面板と一体に正面板及び底面形成片を設けてケース体を構成し、ケース体の底面形成片に複数２列又は数列並べた物品の１列のものと次位の列のものとの間に貫通する中仕切片を介在させ、中仕切片の先端に形成した安定突片を前記側面板に開設した係合隙間に挿込んで中仕切片を安定突片で支持したこと。【選択図】    図１
2005178859.tif 000002
【特許請求の範囲】
【請求項１】
背面板の両端に左右側面板を形成し、左右側面板と一体に正面板及び底面形成片を設けてケース体を構成し、ケース体の底面形成片に複数２列又は数列並べた物品の１列のものと次位の列のものとの間に貫通する中仕切片を介在させ、中仕切片の先端に形成した安定突片を前記側面板に開設した係合隙間に挿込んで中仕切片を安定突片で支持した中仕切つきディスプレイカートン。
【発明の詳細な説明】
【技術分野】
【０００１】
本発明は、ディスプレイカートン主に円筒形物品を収容するための中仕切を備えたカートンに関するものである。
【背景技術】
【０００２】
従来の複列収納型ディスプレイにおいては中仕切を各列の間に介在させると、一列の物品全部を消費すると中仕切が自重で倒れて全体の体裁を損う。
【発明の開示】
【発明が解決しようとする課題】
【０００３】
本発明が解決しようとする問題点はディスプレイカートンに納めた物品の中仕切が転倒したり傾倒することなく、常に整然として位置し、見栄えが悪くなることのないカートンを提供することにある。
【課題を解決するための手段】
【０００４】
本発明は、背面板の両端に左右側面板を形成し、左右側面板と一体に正面板及び底面形成片を設けてケース体を構成し、ケース体の底面形成片に複数２列並べた物品の１列のものと次位の列のものとの間に貫通する中仕切片を介在させ、中仕切片の先端に形成した安定突片を前記側面板に開設した係合隙間に挿込んで中仕切片を安定突片で支持したこと。
【発明の効果】
【０００５】
本発明によれば収容した物品の一部が取除かれても中仕切片はその状態は変化はなく、従って従来のように中仕切片が傾いたり倒れるおそれはなく常に整然と佇立し、商品価値を落すことがない。
【発明を実施するための最良の形態】
【０００６】
図において１０はディスプレイカートンで背面板１と正面板２と左右側面板３，４を折目ａ，ａを介して設ける。５ａは正、背面板２及び１の下端に折目ｂを存して連設した底面構成片である。図示実施態様においては底面構成片５ａ，５ａの先に折目ｃを存して中仕切片６，６を形成してある。中仕切片６は２列並べた物品Ａの間に位置し、その先端に安定突片７を突設し、安定突片７が側面板３，４に開設した係合隙間９に入って中仕切片６を安定させる。
【０００７】
尚本発明は前記中仕切片６が常時正しい位置に整然と立上っていることを特徴とするが、図示の実施例では正面板２の一部を切り開いて、仕切片１１を設け、その先端は背面板１への接着片と成しケース全体を数区画に区切ってある。
【図面の簡単な説明】
【０００８】
【図１】斜視図。
【図２】折畳んだ正面図。
【図３】側面図。
【図４】平面図。
【図５】展開図。
【符号の説明】
【０００９】
１      背面板
２      正面板
３，４  側面板
５ａ    底面構成片
６      中仕切片
７      安定突片
９      係合隙間
１０    ディスプレイカートン
１１    仕切片
Ａ      物品
ｂ，ｃ  折目
【図１】
2005178859.tif 000003
【図２】
2005178859.tif 000004
【図３】
2005178859.tif 000005
【図４】
2005178859.tif 000006
【図５】
2005178859.tif 000007
(57)【要約】【課題】  ペットボトル中にストローを差し込んだ状態でキャップのできる便利なストローの提供。【解決手段】  ペットボトル１の高さと同寸のストロー２を仕様し、ストロー２の直径に合せて摺動可能な大きさの孔を開けた浮輪３を作る。その浮輪３にストロー２を通して浮輪付きストローとする。ペットボトル中の残飲料に合わせて浮輪３を上下すれば浮輪３がストロー２と一緒に水面上に浮揚がりストロー２が飛び出す。キャップ４でストロー２を押し込めば簡単にストロー２はペットボトル中に収まる。【選択図】  図  １
2005178894.tif 000002
【特許請求の範囲】
【請求項１】
ストローの直径に合わせた摺動可能な孔の開いた浮輪を、水に浮く素材で作りその浮輪にストローを通して浮輪付きストローとする。残飲料に合わせて浮輪を移動することができる。
【請求項２】
ペットボトルと同寸の浮輪付きストローをペットボトル中に収め、キャップの開成時はストローが飛び出し、閉成時は収まっている。
【発明の詳細な説明】
【技術分野】
【０００１】  本発明はペットボトル中に収まる携帯用ストローに関する。
【背景技術】
【０００２】  従来はペットボトルの高さより長いストローが必要でストローをペットボトルに差し込んだ状態でキャップをすることは不可能であり、ストローを別に携帯するという不便さに伴い不衛生でもあった。
【発明の開示】
【発明が解決しようとする課題】
【０００３】  近年、外出時にペットボトル等の飲料を携帯するのが一般化しているがペットボトルの口から直接飲むのは衛生面でも問題があり、乗り物等、揺れる状態では飲みこぼし等があり不便である。
【課題を解決するための手段】
【０００４】  ペットボトルと同じ高さのストローを利用し、ストローに浮輪を通すことによって浮輪とストローが一体となり、キャップを開けると浮輪の浮力でストローが飛び出す。浮輪を摺動可能にする事によってペットボトル中の残飲料位置に浮輪を移動すると最後まで飲み切る事ができる。
【発明効果】
ペットボトル中に浮輪付きストローが収まるのでストローを別携帯する必要も無く、揺れる乗り物、混雑した状態でも安心して飲む事ができる。特に幼児、高齢者の方もむせたり、飲みこぼし等の心配も無く衛生的で便利な浮輪付きストローです。
【発明を実施するための最良の形態】
【０００６】ペットボトル中に浮輪付きストローが収まっているがキャップを開けると浮輪の浮力で浮輪付きストローが水面上に浮揚がりストローの飲み口が飛び出す。キャップを閉める時はキャップでストローを押し下げればよい。
【産業上の利用可能性】
【０００７】大量に出荷されている携帯用ペットボトルに付帯されると消費者は利用しやすい。
【図面の簡単な説明】
【０００８】
【図１】本発明による浮輪付きストローの使用状態を示すペットボトルの断面図である。
【図２】本発明の浮輪付きストローの正面図である。
【図３】本発明の浮輪付きストローを上、下から見た図である。
【図４】浮輪付きストローをペットボトル中に収めた状態の断面図である。
【符号の説明】
【０００９】１  ペットボトル
２  ストロー
３  浮輪
４  キャップ
【図１】
2005178894.tif 000003
【図２】
2005178894.tif 000004
【図３】
2005178894.tif 000005
【図４】
2005178894.tif 000006
(57)【要約】【課題】  テープ基材の幅方向の裂断が片手の指１本で容易にできる結束用テープを提供しようとするものである。【解決手段】  合成樹脂製のテープ基材の一面に粘着層を形成して成る結束用テープにおいて、  前記テープ基材１の幅方向中央部に、長手方向に沿って所要長さのスリット２を所要間隔を設けて断続的に配列して、結束用テープが長手方向へ緊張力を受けるときにはスリット２は破断することなく、スリットが両側方へ開く力を受けるとスリットの両端から結束用テープが容易に裂断されるようにしたものである。【選択図】  図１
2005178893.tif 000002
【特許請求の範囲】
【請求項１】
合成樹脂製のテープ基材の一面に粘着層を形成して成る結束用テープにおいて、
前記テープ基材の幅方向中央部に、長手方向に沿って所要長さのスリットをを所要間隔を設けて断続的に配列して成り、該スリットから各側端に向けて裂断できることを特徴とする結束用テープ
【発明の詳細な説明】
【技術分野】
【０００１】
本発明は、主として市販される野菜類と食品パック類を束ねるための結束用テープに関する。
【背景技術】
【０００２】
食品パックを束ねたり、ネギやホウレン草などの野菜類を束ねたりする結束用粘着テープに関する先行技術のひとつに特開２００１−３５４９２３号がある。該先行技術は粘着テープの両側縁のやゝ内側に長手方向に沿って一定間隔を置いたスリットを形成したもので、結束を解くときは該テープの側縁部を持って引裂くようにして切り裂くものであるから、両手を使う上に両指先に力を要するものである。
【特許文献１】特開２００１−３５４９２３号公報
【発明の開示】
【発明が解決しようとする課題】
【０００３】
本発明は、テープ基材の幅方向の裂断が片手の指１本で容易にできる結束用テープを提供しようとする。
【課題を解決するための手段】
【０００４】
本発明の結束用テープは、合成樹脂製のテープ基材の一面に粘着層を形成して成る結束用テープにおいて、
前記テープ基材の幅方向中央部に、長手方向に沿って所要長さのスリットを所要間隔を設けて断続的に配列して成る。
【発明の効果】
【０００５】
本発明の結束用テープによれば、幅方向中央で長手方向に沿って縦配列されるスリットは、結束時には長手方向へ緊張力を受けるので破断することなく、スリットを境にして両側方へ開く力を受けるとスリットの両端から容易に裂断する。したがって、テープ基材と被結束物との間に空間部があると、その空間部上でスリットを指で押し込むと簡単に裂断して結束を解くことができる。そのため農産物の結束作業での結束不良の手直し労力が削減されるし、一般消費者は一本の指先きで結束を解けるという利便がある。
【発明を実施するための最良の形態】
【０００６】
テープ基材となる合成樹脂は従来提供されているポリエステルフィルム、ポリエチレンやポリプロピレンなどのプラスチックフィルムであり、該基材の厚さ40μ、幅は約15mmから20mm程度であり、粘着層としては従来提供されているアクリル系やロジン系などの厚さ20μの感圧接着剤層で形成される。また、スリットの長さは10mm程度でその間隔も10mm程度である。
【実施例】
【０００７】
本発明の結束用テープAを実施例により説明すると、図１に示すように裏側に粘着層を設けたポリエステルフィルムから切断成形した幅15mmのテープ基材１に、その幅方向中央に長手方向に沿って長さ10mmのスリット２が10mm間隔に断続的に配列されて成る。
【０００８】
このようにして成る結束用テープAは、図２に示すようにネギ３の結束に使用され、結束を解くときは図３（ａ）に示すように、結束用テープＡとネギ３の束との空間部４に位置するスリット２に爪をかけ、或いは人差し指５の腹で押圧することにより、スリット２の一側部は手前側に簡単に裂断され、その状態から図３（ｂ）に示すように人差し指５を矢印方向に押し付けなければ他側部も簡単に裂断され、結果として図４（ａ）のようにスリット２の一端からテープ基材１の幅方向の上部６が裂断し、他端から幅方向の下部７が裂断されたり、図４（ｂ）のようにスリット２の一端から上部６と下部７が裂断されるもの、或は図４（ｃ）、（ｄ）に示すようにスリット２の一端では幅方向の下部７が裂断し、他端では幅方向の上部６が裂断するなど多様な形態で結束用テープＡは幅方向が切り裂かれてその部分から結束が解かれる。
このように本発明の結束用テープＡによれば、結束農産物（ネギ、ニンジン、ホウレン草など）及び食品パック（図外）などの結束解除を鋏やカッターなどの手工具を用いないで指１本でできるものである。
なお、スリット２の配列は直線状の配列、千鳥状の配列などがある。
【産業上の利用可能性】
【０００９】
本発明は、テープ基材１の裂断やスリット加工などの生産機械部門を刺激するほか、テープ基材１そのものを生産する化学産業も活性化する。
【図面の簡単な説明】
【００１０】
【図１】本発明に係る結束用テープＡの斜視図。
【図２】結束用テープＡをネギ３の結束に用いた状態の説明図。
【図３】結束用テープＡの結束を解除する要領の説明図で、（ａ）はスリット２から手前側一側部を裂断する状態を示し、（ｂ）はスリット２から他側部を裂断する状態を示す。
【図４】結束用テープＡの幅方向の裂断状態を示す説明図。
【符号の説明】
【００１１】
１：テープ基材
２：スリット
３：ネギ
４：空間部
５：人差し指
６：上部
７：下部
Ａ：結束用テープ
【図１】
2005178893.tif 000003
【図２】
2005178893.tif 000004
【図３】
2005178893.tif 000005
【図４】
2005178893.tif 000006
(57)【要約】【課題】液体内容物を安全かつ容易に他の容器へ移し使用する場合詰め替え用容器注ぎ口と通常使用容器注ぎ口とを直接接触または挿入させることが困難で液体内容物の容器外への飛散や漏れの原因となる。【解決手段】詰め替え用容器注ぎ口を折り返し式とし，折り返した注ぎ口を伸ばし注ぎ口の長さを長くすることが可能となることにより，容器本体が障害とならず詰め替え用容器注ぎ口と通常使用容器注ぎ口とを直接挿入させることが可能となり，容器外への飛散および容器外壁に沿う液体内容物の漏れを防止できる。【選択図】図１2005178895.tif 000003
2005178895.tif 000002
【特許請求の範囲】
【請求項１】
液体内容物を容器から他の容器へ移すための注ぎ口で，注ぎ口を折り返し容器本体の先端部を接着またはテープ，シールで貼り付け，接着部，テープ貼り付け部およびシール貼り付け部を脱着または切断し，折り返した注ぎ口部を伸ばすことにより注ぎ口部を長くすることが可能となるようプラスチック製袋状容器の注ぎ口を折り返し容器本体に接着またはテープ，シールで貼り付けることを特徴とするプラスチック製袋状容器。
【発明の詳細な説明】
【技術分野】
【０００１】  本発明はプラスチック製袋状容器から液体内容物を他の容器に移し使用すための注ぎ口に関するものである。
【背景技術】
【０００２】  液体を詰める容器には紙製，金属製，ガラス製およびプラスチック製のものがある。環境保全の観点から資源リサイクル，省資源化の循環型社会への移行が急務である。詰め替え用簡易包装の容器に詰められた製品を通常使用容器へ移し使用することが一般化している。詰め替え用簡易包装の容器としては肉厚を薄くしたプラスチック製筒状容器や周囲を接着したプラスチック製袋状容器のものが用いられている。液体内容物の保存，輸送中における内容物の漏れを防止するため，詰め替え用プラスチック製筒状容器の流出口はネジ蓋であり，詰め替え用プラスチック製袋状容器の流出口にもネジ蓋のものもあるが，多くは角部を指定したものまたは流出口を通常使用容器へ移し易くするためデザイン化したものである。プラスチック製袋状容器では流出口の部分にあらかじめ切り込み等を入れ，その部分を切ることにより液体内容物を容器外に流出させるようにしてある。【０００３】  詰め替え用のプラスチック製容器では流出口の径を小さくすることにより液体内容物の通常使用容器への移行を容易にしている。詰め替え用のプラスチック製袋状容器では注ぎ口にあたる部分の断面積が小さくなるように角部を指定したり，角部以外の部位でも同様に注ぎ口にあたる部分の断面積が小さくなるように成形することにより液体内容物の通常使用容器への移行を容易にしている。また，液体内容物を移す効率を上げるためおよび容易にするため注ぎ口にあたる部分に外径５ｍｍから１０ｍｍ程度の短い管を装着しているものおよび管状になるように容器のプラスチックフィルムを成形または注ぎ口にあたる部分に間隙を作るためのプラスチック製部品を設け，そのプラスチック製部品を組立てることにより，間隙を作り内容物の移動効率の改善および容易性を図っている。
【発明の開示】
【発明が解決しようとする課題】
【０００４】  液体内容物を安全かつ容易に他の容器へ移し使用する場合液体内容物の充填率が高い，すなわち満杯状態で他の容器へ移すため流出させる場合注入角度が確保できなく注ぎ口の外壁に沿って漏れることがある。また，注ぎ口から容器内への空気の移動が液体内容物により障害となり注ぎ口からの液体の流出に不連続が発現し，その結果液体内容物が容器外への飛散や漏れの原因となることがある。
【特許文献１】特許公開２００３−１６０１５０号
【課題を解決するための手段】
【０００５】  注ぎ口の長さを長くすることが可能となることにより，容器本体が障害とならず他の容器の注ぎ口に直接接触または挿入させ内容物を移すことができ，容器外壁に沿う内容物の漏れを防止できる。また，プラスチック製袋状容器本体から注ぎ口部に液体内容物を導入するための溝を成形したものにも適用が可能である。
【発明の効果】
【０００６】  注ぎ口の長さを長くすることで詰め替え用のプラスチック製袋状容器注ぎ口と通常使用容器の注ぎ口とを直接接触または挿入させることが可能となり，注ぎ口の外壁に沿って漏れたり，脈流による液体内容物の飛散を防止できる。
【発明を実施するための最良の形態】
【０００７】  詰め替え用のプラスチック製袋状容器の注ぎ口を折り返し容器本体に接着またはテープ，シールで貼り付け，接着部，テープ貼り付け部およびシール貼り付け部を脱着または切断し，折り返した注ぎ口部を伸ばし，注ぎ口部を長くすることが可能とする。注ぎ口部を長くすることにより，容器本体が障害とならず，液体内容物を流出させる場合詰め替え用のプラスチック製袋状容器注ぎ口を通常使用容器の注ぎ口に直接接触または挿入させることが可能となり，通常使用容器注ぎ口の外壁に沿って漏れたり，通常使用容器外への液体内容物の飛散を防止できる。
【実施例１】
【０００８】  詰め替え用のプラスチック製袋状容器の注ぎ口を折り返し式にし，注ぎ口部の長さを長くすることより，詰め替え用のプラスチック製袋状容器注ぎ口と通常使用容器の注ぎ口とを直接挿入させることが可能となり，通常使用容器注ぎ口の外壁に沿って漏れたり，通常使用容器外への液体内容物の飛散を気にすることなく液体内容物の移動が可能となった。
【産業上の利用可能性】
【０００９】  詰め替え用のプラスチック製袋状容器注ぎ口部を折り返し式にする事により，液体内容物の漏れの抑制と容器外壁に沿う液体内容物の漏れによる不快感の解消，後処理の煩雑さの解消となる。
【図面の簡単な説明】
【００１０】
【図１】プラスチック製容器の注ぎ口部を折り返した状態の平面図である。（実施例１）
【００１１】
【図２】プラスチック製容器の注ぎ口部を折り返し部を伸ばした平面図である。
【符号の説明】
【００１２】１  詰め替え用のプラスチック製袋状容器本体
２  流出口折り返し部
３  流出口折り返し部の接着部
４  袋状容器にするための接着部
５  流出口にするための切断部
【図１】
2005178895.tif 000004
【図２】
2005178895.tif 000005
(57)【要約】【課題】  巾広のペン先を持つマーキングペンやサインペンの使用時に、素早く筆記保持方向が確認できるように工夫したもので、筆記具の先端部に凸状の突起部や凹状の窪み部を設けた、筆記保持方向指示機能を設けたマーキングペン及びサインペンを提供する。【解決手段】  ペン本体の先端に、筆記保持方向を指示する凸状の突起部叉は凹状の窪み部を設け、この突起又は窪みに人指し指を当ててペン本体を保持することによって自ずと適切な筆記保持方向を確認できるようにしたことを特徴とする、筆記保持方向指示機能を設けたマーキングペン及びサインペン。【選択図】  図１
2005178401.tif 000002
【特許請求の範囲】
【請求項１】
ペン本体の先端部に凸状の突起部を設けたことを特徴とする、筆記保持方向指示機能を設けたマーキングペン及びサインペン。
【請求項２】
ペン本体の先端部に凹状の窪み部を設けたことを特徴とする、筆記保持方向指示機能を設けたマーキングペン及びサインペン。
【発明の詳細な説明】
【技術分野】
【０００１】  本発明は、巾広のペン先を持つマーキングペンやサインペンの使用時に、素早く筆記保持方向が確認できるようにしたもので、筆記具の先端部に凸状の突起部や凹状の窪み部を設けた、筆記保持方向指示機能を設けたマーキングペン及びサインペンに関するものである。
【背景技術】
【０００２】  従来、巾広のペン先を持つマーキングペンやサインペンを使用するときは、いちいちペン先を見て、筆記保持方向を確認しなければならなかった。
あるいは、試し書きをして筆記保持方向を確認しなけらばならなかった。
【発明の開示】
【発明が解決しようとした課題】
【０００３】  そのために、つぎのような問題点があった。
いちいち筆記具のペン先を見るとか、試し書きをして筆記保持方向を確認することは大変面倒であり筆記効率が悪かった。
あるいは、筆記保持方向を間違えて適切な線が引けないなどの問題点があった。
本発明は以上の問題点を解決しようとするものである。
【課題を解決するための手段】
【０００４】  ペン本体（１）の先端に、筆記保持方向を指示する凸状の突起部（３）叉は凹状の窪み部（４）を設ける。
そして、この突起部（３）叉は窪み部（４）に人差し指を当ててペン本体を保持することによって、自ずと適切な筆記保持方向を確認できるようにした。
以上のように構成された、筆記保持方向指示機能を設けたマーキングペン及びサインペン。
【発明の効果】
【０００５】  本発明により、いちいちペン先を見る必要もなくなり、また、試し書きして方向確認する必要もなく、人差し指に感じる突起叉は窪みの触覚だけで素早く適切な筆記保持方向を確認することができるため大変便利であり、筆記効率も良くなった。
【発明を実施するための最良の形態】
【０００６】  以下、本発明の実施の形態を説明する。
ペン本体（１）の先端に、筆記保持方向を指示する凸状の突起部（３）を設ける。
また、図３、図４に示すように、ペン本体（１）の先端に、筆記保持方向を指示する凹状の窪み部（４）を設ける。
本発明は、以上の構成よりなっている。
本発明を使用するときは、ペン本体（１）の先端にある筆記保持方向を指示する凸状の突起部（３）及び突起部（４）叉は、凹状の窪み部（５）及び窪み部（６）に人差し指を当てると、人差し指に感じる突起又は窪みの触覚により自ずと適切な筆記保持方向を確認することができる。
凸状の突起部（３）叉は凹状の窪み部（５）に人差し指を当てペン本体を横に引くと巾広の横線を、縦に引くと細巾の線を筆記することができる。
また、凸状の突起部（４）叉は凹状の窪み部（６）に人指し指を当てペン本体を縦に引くと巾広の縦線を、横に引くと細巾の横線を筆記することができる。
【図面の簡単な説明】
【０００７】
【図１】本発明の側面図である。
【図２】本発明の平面図である。
【図３】本発明の他の実施例を示した側面図である。
【図４】本発明の他の実施例を示した平面図である。
【符号の説明】
【０００８】１  本体
２  ペン先
３  突起部
４  突起部
５  窪み部
６  窪み部
【図１】
2005178401.tif 000003
【図２】
2005178401.tif 000004
【図３】
2005178401.tif 000005
【図４】
2005178401.tif 000006
(57)【要約】【課題】従来の自動車用フットレスト装置は座部と床の間に空間がなければ設置できないため後部座席には使用できず、また取り付けに手間がかかった。【解決手段】クッション材のフットレスト本体に脚を収納した構造のため、床に置くだけで使用可能であり、取り付けの手間が要らず、後部座席に使用することもできる。運転席で使用する場合はアクセル、ブレーキペダルの方へ移動しないようにフットレスト本体とシートのパイプ等をベルトで掛けて固定し使用する。【選択図】図１
2005178402.tif 000002
【特許請求の範囲】
【請求項１】
運転席のほかの座席では取り付け取り外しのいらない、高さ調節可能な自動車の全ての座席で使用できるフットレスト装置。
【発明の詳細な説明】
【技術分野】
【０００１】本発明は、長時間走行において楽な着座姿勢を保持するための自動車座席用のフットレスト装置に関するものである。
【背景技術】
【０００２】従来の自動車での長時間走行では着座者の足腰に疲れが生じた。これを防止するためにフットレストを装備した座席が提供されており、これに足を乗せて楽な着座姿勢を保持させるようにしている。【０００３】
【特許文献１】特開平２００３−２３７４５０
【発明の開示】
【発明が解決しようとする課題】
【０００４】従来の自動車用フットレスト装置は座部と床の間に空間がなければ設置できないため後部座席には使用できず、また取り付けに手間がかかった。本発明は、この課題を解消するためになされたものである。
【課題を解決するための手段】
【０００５】本発明は、クッション材のフットレスト本体に脚を収納した構造のため運転席以外では取り付けの必要がなく、床に置くだけで使用できる。脚は引き出して高さ調整を行うことができる。運転席で使用する場合には本発明がアクセル、ブレーキペダルの方へ移動しないようにフットレスト本体とシートのパイプ等を長さの調節可能なベルトを掛けて容易に固定することができる。
【発明の効果】
【０００６】長時間走行での着座者の足腰の疲れを軽減する。また、運転席以外では取り付けの手間がかからず、固定されていないため本発明を走行中に助手席と後部座席で使い回すことができる。
【発明を実施するための最良の形態】
【０００７】本発明は、クッション材のフットレスト本体に脚が収納され、脚は引き出して高さ調整を行う。滑り止めのために脚にゴム等を施す場合やゴムシート等を敷いた上にフットレスト本体を置いて使用する場合もある。また、フットレスト本体とシートのパイプ等を長さの調節可能なベルトを掛けて容易に固定することができる。
【実施例】
【０００８】本発明の高さ調整ボタン３を押しながら脚２を引き出してフットレスト本体１の高さを調節する。
【図面の簡単な説明】
【０００９】
【図１】本発明の側面図
【図２】本発明の脚収納時の側面図
【図３】本発明の裏面図
【図４】本発明のフットレスト本体とシートのパイプをベルトで固定している図
【符号の説明】
【００１０】１  フットレスト本体２  脚３  ベルト掛け部４  高さ調整ボタン５  ベルト６  シートのパイプ
【図１】
2005178402.tif 000003
【図２】
2005178402.tif 000004
【図３】
2005178402.tif 000005
【図４】
2005178402.tif 000006